(57)【要約】【課題】簡易な構成を用いてより演出効果の高い発光パターンを実現する。【解決手段】遊技機用演出装置２０は、第１入射面３１ａ、第２入射面３１ｂ、出射部３２、第１反射面３４ａおよび第２反射面３４ｂを有する導光レンズ３０と、第１発光部４１ａおよび第２発光部４１ｂを有する発光装置と、を備え、第１発光部４１ａからの光を第１反射面３４ａで反射して出射部３２に出射すると共に第２発光部４１ｂからの光を第２反射面３４ｂで反射して出射部３２に出射する。第１反射面３４ａおよび第２反射面３４ｂは、出射部３２から見たときに、長尺方向に交互に並ぶように設けられる。これにより、２つの光が線状に並んだ発光パターンの光を出射部３２から出射させることができ、演出効果をより高めることができる。【選択図】図３
2018086158.tif 000002
【特許請求の範囲】
【請求項１】
透光性を有する導光レンズと発光手段とを備えた遊技機用演出装置であって、
前記導光レンズは、前記発光手段からの光を入射可能な入射部と、光を出射可能な出射部と、前記入射部に入射された光を前記出射部に向けて反射する反射部とを有し、
前記発光手段は、少なくとも第１発光部と第２発光部とを含む複数の発光部を有し、
前記入射部は、少なくとも、前記第１発光部からの光を入射可能な第１入射面と、前記第２発光部からの光を入射可能な第２入射面とを含む複数の入射面が設けられ、
前記反射部は、少なくとも、前記第１入射面に入射された前記第１発光部からの光を前記出射部に向けて反射する第１反射面と、前記第２入射面に入射された前記第２発光部からの光を前記出射部に向けて反射する第２反射面とを含む複数の反射面が設けられ、
前記第１反射面は、前記出射部から視認したときに、前記第１発光部とは異なる発光部からの光を反射する反射面と隣接して並ぶように設けられる、
遊技機用演出装置。
【請求項２】
請求項１記載の遊技機用演出装置であって、
前記導光レンズは、長尺面に前記出射部が設けられた長尺状の部材であり、
前記複数の発光部は、前記導光レンズの端部に設けられる、
遊技機用演出装置。
【請求項３】
請求項２記載の遊技機用演出装置であって、
前記導光レンズは、端部に向かって複数に分岐する分岐部を有し、
前記複数の入射面は、前記分岐部の複数の先端面に設けられる、
遊技機用演出装置。
【請求項４】
請求項１ないし３いずれか１項に記載の遊技機用演出装置であって、
前記導光レンズは、内部に空間部を有し、
前記第２反射面は、前記空間部の境界面に設けられる、
遊技機用演出装置。
【請求項５】
請求項１ないし４いずれか１項に記載の遊技機用演出装置であって、
前記第１反射面は、前記出射部に対して前記第２反射面よりも奥に設けられる、
遊技機用演出装置。
【発明の詳細な説明】
【技術分野】
【０００１】
本発明は、遊技機用演出装置に関する。
【背景技術】
【０００２】
従来、この種の遊技機用演出装置としては、発光部とレンズ部とを備えるものが知られている。例えば、特許文献１には、透光性の材料により形成された線状のレンズ部と、レンズ部の後方に配置されたＬＥＤとを備えるものが開示されている。
【先行技術文献】
【特許文献】
【０００３】
【特許文献１】特開２０１６−２８７２４号公報
【発明の概要】
【発明が解決しようとする課題】
【０００４】
しかしながら、上述した遊技機用演出装置では、ＬＥＤで発光した光をレンズ部を介して出射させるものに過ぎず、発光パターンが単調であり、これによって演出効果を高めるのは困難である。
【０００５】
本発明の遊技機用演出装置は、簡易な構成を用いてより演出効果の高い発光パターンを実現することを主目的とする。
【課題を解決するための手段】
【０００６】
本発明の遊技機用演出装置は、上述の主目的を達成するために以下の手段を採った。
【０００７】
本発明の遊技機用演出装置は、
透光性を有する導光レンズと発光手段とを備えた遊技機用演出装置であって、
前記導光レンズは、前記発光手段からの光を入射可能な入射部と、光を出射可能な出射部と、前記入射部に入射された光を前記出射部に向けて反射する反射部とを有し、
前記発光手段は、少なくとも第１発光部と第２発光部とを含む複数の発光部を有し、
前記入射部は、少なくとも、前記第１発光部からの光を入射可能な第１入射面と、前記第２発光部からの光を入射可能な第２入射面とを含む複数の入射面が設けられ、
前記反射部は、少なくとも、前記第１入射面に入射された前記第１発光部からの光を前記出射部に向けて反射する第１反射面と、前記第２入射面に入射された前記第２発光部からの光を前記出射部に向けて反射する第２反射面とを含む複数の反射面が設けられ、
前記第１反射面は、前記出射部から視認したときに、前記第１発光部とは異なる発光部からの光を反射する反射面と隣接して並ぶように設けられる、
ことを要旨とする。
【０００８】
この本発明の遊技機用演出装置は、入射部と出射部と反射部とを有する導光レンズと、少なくとも第１発光部と第２発光部とを含む複数の発光部を有する発光手段と、を備える。導光レンズの入射部には、少なくとも、第１発光部からの光を入射可能な第１入射面と、第２発光部からの光を入射可能な第２入射面とを含む複数の入射面が設けられ、反射部には、少なくとも、第１入射面に入射された第１発光部からの光を出射部に向けて反射する第１反射面と、第２入射面に入射された第２発光部からの光を出射部に向けて反射する第２反射面とを含む複数の反射面が設けられる。そして、第１反射面は、出射部から視認したときに、第１発光部とは異なる発光部からの光を反射する反射面と隣接して並ぶように設けられる。これにより、導光レンズと複数の発光部を含む発光手段とを用いて、複数の発光部からの光を隣接して並んだ状態で導光レンズの出射部から出射させることができる。この結果、簡易な構成を用いてより演出効果の高い発光パターンを実現することができる。
【０００９】
こうした本発明の遊技機用演出装置において、前記導光レンズは、長尺面に前記出射部が設けられた長尺状の部材であり、前記複数の発光部は、前記導光レンズの端部に設けられるものとしてもよい。こうすれば、複数の発光部を纏めて基板に形成することができるため、発光手段をより小型化することができる。この態様の本発明の遊技機用演出装置において、前記導光レンズは、端部に向かって複数に分岐する分岐部を有し、前記複数の入射面は、前記分岐部の複数の先端面に設けられるものとしてもよい。この場合、分岐部は、複数の先端面に対して傾斜し、複数の先端面に入射された光をそれぞれ対応する反射面に向けて反射する複数の傾斜面（中継反射面）を有するものとしてもよい。
【００１０】
また、本発明の遊技機用演出装置において、前記導光レンズには、内部に空間部が形成され、前記第２反射面は、前記空間部の境界面に設けられるものとしてもよい。こうすれば、より容易に導光レンズに第２反射面を設けることができる。
【００１１】
さらに、本発明の遊技機用演出装置において、前記第１反射面は、前記出射部に対して前記第２反射面よりも奥に設けられるものとしてもよい。こうすれば、第１発光部から第１入射面に入射されて第１反射面に向かう光と第２発光部から第２入射面に入射されて第２反射面に向かう光とが混合するのを抑制することができる。
【図面の簡単な説明】
【００１２】
【図１】本発明の一実施例としての遊技機用演出装置２０を含む遊技機１の構成の概略を示す構成図である。
【図２】遊技機用演出装置２０の外観を示す外観斜視図である。
【図３】導光レンズ３０の断面を示す断面図である。
【図４】変形例の導光レンズ１３０の断面を示す断面図である。
【発明を実施するための形態】
【００１３】
次に、本発明を実施するための形態を実施例を用いて説明する。
【実施例】
【００１４】
図１は本発明の一実施例としての遊技機用演出装置２０を含む遊技機１の構成の概略を示す構成図であり、図２は遊技用演出装置２０の外観を示す外観斜視図であり、図３は導光レンズ３０の断面を示す断面図である。
【００１５】
遊技機１は、遊技球を用いて遊技を行なうパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン８と、遊技盤３の外周に設けられた実施例の遊技機用演出装置２０と、を備える。
【００１６】
遊技盤３は、遊技領域の右下部に配置された図柄表示装置１１と、遊技領域の中央に配置され各種演出画像を表示する画像表示装置としての液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、が設けられている。
【００１７】
遊技機１では、第１始動口１３や第２始動口１４へ遊技球が入球されたことに基づいて図柄表示装置１１にて特別図柄の変動表示を行ない、変動表示時間が終了すると、変動表示中の特別図柄を停止表示する。このとき、特別図柄が所定の大当り図柄で停止表示されると、大入賞口１５を開放する大当り遊技を実行する。また、遊技機１では、特別図柄の変動表示中には、液晶表示装置１２にて演出図柄を変動表示させる図柄変動演出が行われ、大当り遊技の実行中には、液晶表示装置１２にてラウンド数や獲得賞球数などを表示する大当り遊技演出が行われる。遊技機用演出装置２０は、これらの図柄変動演出や大当り遊技演出に伴って所定の発光パターンで発光することにより演出を行う発光演出装置として構成されている。
【００１８】
遊技機用演出装置２０は、図２，３に示すように、発光装置４０と、導光レンズ３０と、を備える。発光装置４０は、実施例では、ＬＥＤ素子が基板上に実装されたＬＥＤ発光装置として構成され、第１発光部４１ａと、第１発光部４１ａとは異なる色で発光可能な第２発光部４１ｂと、を有する。なお、第１発光部４１ａと第２発光部４１ｂは、少なくとも一方が発光色を切り替え可能に構成（例えば、２色発光ＬＥＤやフルカラーＬＥＤなど）されてもよい。これにより、第１発光部４１ａの発光色と第２発光部４１ｂの発光色とを同一とする発光パターンと、第１発光部４１ａの発光色と第２発光部４１ｂの発光色とを異ならせる発光パターンとを切り替える等、発光パターンを多様化することができ、演出効果をより高めることができる。導光レンズ３０は、アクリルやポリカーボネートなどの透明な材料により形成された長尺状の部材であり、発光装置４０から照射された光を端部から入射して長尺面から出射することにより線状に発光可能となっている。
【００１９】
導光レンズ３０は、図２に示すように、長尺状のレンズ本体３０ａと、レンズ本体３０ａから端部に向かって二股に分岐した分岐部３０ｂと、レンズ本体３０ａに形成された複数の空間部３０ｃと、を有する。分岐部３０ｂは、図３に示すように、レンズ本体３０ａからＶ字状に二股に分かれた後、先端部が互いに反対方向に延出されている。分岐部３０ｂは、その先端面に対して傾斜し、二股の付け根から互いにＶ字状に延出する第１傾斜面（中継反射面）３３ａおよび第２傾斜面（中継反射面）３３ｂを有する。空間部３０ｃは、レンズ本体３０ａに対して、レンズ本体３０ａの長尺方向に概ね直交すると共にレンズ本体３０ａの光の出射面に対して概ね平行な方向に角柱状（例えば、５角柱）に貫通する貫通孔として形成されている。
【００２０】
また、導光レンズ３０は、第１入射面３１ａと、第２入射面３１ｂと、出射部（出射面）３２と、第１反射面３４ａと、第２反射面３４ｂと、を有する。第１入射面３１ａと第２入射面３１ｂは、分岐部３０ｂの先端面に設けられ、それぞれ第１発光部４１ａと第２発光部４１ｂからの光を入射する。そして、第１入射面３１ａと第２入射面３１ｂに入射した光は、分岐部３０ｂの第１傾斜面（中継反射面）３３ａと第２傾斜面（中継反射面）３３ｂで反射され、第１反射面３４ａと第２反射面３４ｂに向かって進む。出射部３２は、レンズ本体３０ａの空間部３０ｃの開口が形成されていない長尺面に設けられている。第１反射面３４ａは、レンズ本体３０ａにおける出射部３２と相対する面に設けられている。第１反射面３４ａは、長尺方向に鋸状に形成された複数の傾斜面に設けられ、第１傾斜面３３ａから反射した光を出射部３２に向けて反射する。第２反射面３４ｂは、レンズ本体３０ａと空間部３０ｃとの境界面（角柱状の空間部３０ｃの一面）に形成され、第２傾斜面３３ｂから反射した光を出射部３２に向けて反射する。なお、第１傾斜面３３ａや第２傾斜面３３ｂ、第１反射面３４ａ、第２反射面３４ｂには、裏面にメッキや蒸着などにより反射膜を形成するものとしてもよい。第２反射面３４ｂは、出射部３２に対して第１反射面３４ａの手前（第１反射面３４ａが第２反射面３４ｂの奥）に設けられており、出射部３２から見たときに、第１反射面３４ａと第２反射面３４ｂとが長尺方向に交互に並ぶように配置される。
【００２１】
こうして構成された遊技機用演出装置２０では、第１発光部４１ａと第２発光部４１ｂとを発光させると、第１発光部４１ａから発光された光は、分岐部３０ｂの第１傾斜面（中継反射面）３３ａと第１反射面３４ａとで反射して出射部３２から出射する。また、第２発光部４１ｂから発光された光は、分岐部３０ｂの第２傾斜面（中継反射面）３３ｂと第２反射面３４ｂとで反射して出射部３２から出射する。上述したように、第１反射面３４ａと第２反射面３４ｂは、出射部３２から見たときに、長尺方向に交互に並ぶように配置されるため、出射部３２は、２つの光が交互に線状に並んだパターンにより発光されることになる。
【００２２】
以上説明した実施例の遊技機用演出装置２０は、第１入射面３１ａ、第２入射面３１ｂ、出射部３２、第１反射面３４ａおよび第２反射面３４ｂを有する導光レンズ３０と、第１発光部４１ａおよび第２発光部４１ｂを有する発光装置４０と、を備える。導光レンズ３０は、第１発光部４１ａからの光を第１反射面３４ａで反射して出射部３２に出射すると共に第２発光部４１ｂからの光を第２反射面３４ｂで反射して出射部３２に出射し、出射部３２から見たときに、第１反射面３４ａと第２反射面３４ｂとが導光レンズ３０の長尺方向に交互に並ぶように設けられる。これにより、２つの光が線状に並んだ発光パターンの光を出射部３２から出射させることができ、演出効果をより高めることができる。また、上述した発光パターンを導光レンズ３０と発光装置４０とで実現するため、簡易な構成を用いて演出効果の高い発光パターンを実現することができる。
【００２３】
さらに、実施例の遊技機用演出装置２０は、レンズ本体３０ａに空間部３０ｃを設け、レンズ本体３０ａと空間部３０ｃとの境界面に第２反射面３４ｂを設けるため、レンズ本体３０ａの内部により容易に第２反射面３４ｂを設けることができる。
【００２４】
また、実施例の遊技機用演出装置２０は、第１反射面３４ａを、出射部３２に対して第２反射面３４ｂよりも奥に設けるため、第１発光部４１ａから光と第２発光部４１ｂからの光が互いに混合するのを抑制することができる。
【００２５】
実施例では、先端部が互いに反対方向を向くように分岐部３０ｂを形成するものとしたが、先端部が互いに同じ方向を向くように分岐部を構成するものとしてもよい。図４は、変形例の導光レンズ１３０の断面を示す断面図である。この変形例の導光レンズ１３０は、実施例の導光レンズ３０と同様に、レンズ本体１３０ａと、分岐部１３０ｂと、空間部１３０ｃとを有する。分岐部１３０ｂは、その先端面に対して傾斜し、二股の付け根から概ね同じ方向に延出される第１傾斜面（中継反射面）１３３ａおよび第２傾斜面（中継反射面）１３３ｂを有する。第１入射部１３１ａおよび第２入射部１３１ｂは、分岐部１３０ｂの先端面にそれぞれ光を入射可能に互いに隣接して配置されている。これにより、第１発光部１４１ａおよび第２発光部１４１ｂを備える発光装置をより小型化することができる。
【００２６】
実施例では、導光レンズ３０の一端側に分岐部３０ｂを形成すると共に分岐部３０ｂの各先端面に発光部（第１発光部４１ａ，第２発光部４１ｂ）を配置するものとしたが、導光レンズ３０の他端側にも同様の分岐部を形成すると共に分岐部の各先端面に発光部を配置するものとしてもよい。
【００２７】
実施例では、境界面に第２反射面３４ｂが設けられる空間部３０ｃを、角柱状の貫通孔により形成したが、第２反射面が設けられる一面が平面であれば、如何なる形状の空間部であってもよい。
【００２８】
実施例では、導光レンズ３０に、第１発光部４１ａおよび第２発光部４１ｂにそれぞれ対応する第１入射面３１ａおよび第２入射面３１ｂを設けると共に、第１入射面３１ａおよび第２入射面３１ｂにそれぞれ入射した光を出射部３２に向けて反射する第１反射面３４ａおよび第２反射面３４ｂを設けるものとしたが、発光装置として３つ以上の発光部からの光をそれぞれ入射する３つ以上の入射面を設けると共に、３つ以上の入射部にそれぞれ入射された光をそれぞれ出射部に向けて反射する３つ以上の反射面を設けるものとしてもよい。この場合、３つ以上の発光部は、それぞれ異なる色（例えば、赤、青、緑など）で発光するよう構成されてもよいし、何れか２つが同色（例えば、赤、赤、白など）で発光するよう構成されてもよい。また、３つ以上の発光部のうち何れか１つを、発光色を切り替え可能に構成（例えば、２色発光ＬＥＤやフルカラーＬＥＤなど）してもよい。
【００２９】
以上、本発明の実施の形態について説明したが、本発明はこうした実施形態に何等限定されるものではなく、本発明の要旨を逸脱しない範囲内において、種々なる形態で実施し得ることは勿論である。
【産業上の利用可能性】
【００３０】
本発明は、遊技機用演出装置の製造産業に利用可能である。
【符号の説明】
【００３１】
１  遊技機、２  本体、３  遊技盤、４  スピーカ、５  上受け皿、６  下受け皿、７  発射ハンドル、８  演出ボタン、１１  図柄表示装置、１２  液晶表示装置、１３  第１始動口、１４  第２始動口、１５  大入賞口、１６  アウト口、２０  遊技機用演出装置、３０，１３０  導光レンズ、３０ａ，１３０ａ  レンズ本体、３０ｂ，１３０ｂ  分岐部、３０ｃ，１３０ｃ  空間部、３１ａ，１３１ａ  第１入射部、３１ｂ，１３１ｂ  第２入射部、３２  出射部、３３ａ，１３３ａ  第１傾斜面、３３ｂ，１３３ｂ  第２傾斜面、３４ａ  第１反射面、３４ｂ  第２反射面、４０  発光装置、４１ａ，１４１ａ  第１発光部、４１ｂ，１４１ｂ  第２発光部。
【図１】
2018086158.tif 000003
【図２】
2018086158.tif 000004
【図３】
2018086158.tif 000005
【図４】
2018086158.tif 000006